(57)【要約】      （修正有）【課題】ボックスベンチ付きキャビネット、及び収納スペース付きキャビネットを提供する。【課題手段】キャビネット１下部の内側にスライドレール４により取り付けられた、引き出し可能なボックス形状ベンチ２を取り付け、使用時は引き出してベンチとして使用し、使用時以外はキャビネット内に収納可能な、スライドレール式ベンチ付きキャビネット、又はキャビネットの下部の内側にキャスター、或いは車輪３を設けた扉、或いは棚５、又は棚、扉の付いたボックス形状ベンチを収納し、使用時に引き出して使用可能なキャスター式ベンチ付きキャビネット、或いはキャスターも車輪も付かない軽量な椅子、又はスツールを備え、収納し、必要時に取り出し腰掛けとして使用し、使用時以外は収納可能な、軽量椅子、或いはスツールを備えた、収納機能付きキャビネットである。【選択図】図２
0003213408.tif 000002
【実用新案登録請求の範囲】
【請求項１】
キャビネットの下部内側に（１）ボックス形状のベンチをスライドレールで取り付け、（２）使用時は引き出してベンチとして使用し、（３）使用時以外はキャビネット内に収納可能なボックス形状のベンチを備えたことを特徴とする、（４）スライドレール式収納可能ボックスベンチ付きキャビネット。
【請求項２】
キャビネットの下部内側に（１）キャスター、或いは車輪を設けた独立したボックス形状のベンチを収納、（２）ボックス形状ベンチは棚、或いは扉、或いは扉と棚の付属した形状であり、（３）必要時に引き出しベンチとして使用、使用時以外はキャビネット内に収納する、（４）或いは他の場所に設置可能なベンチを備えたことを特徴とする、（５）キャスター式ボックスベンチ付きキャビネット。
【請求項３】
キャビネットの内側に（１）キャスターも車輪も付かない（２）軽量椅子、或いはスツールを収納、（３）必要時に取り出しベンチ、或いは椅子として使用、（４）使用時以外は収納スペースに軽量椅子、或いはスツールを収納可能としたことを特徴とする、（６）軽量椅子、或いはスツールが付属する、収納スペース付きキャビネット。
【考案の詳細な説明】
【技術分野】
【０００１】  本考案はベンチ付きキャビネットに関するものである。
【背景技術】
【０００２】  従来の多くのキャビネットは腰掛用のベンチが付属していない。
【先行技術文献】
【非特許文献】
【０００３】
【非特許文献１】住友林業クレスト  Ｂｅｒｉｃｈｅ２０１７  住宅部材カタログ  Ｐ７２２〜７４１
【考案の概要】
【考案が解決しようとする課題】
【０００４】  従来の多くのキャビネットは腰掛用のベンチが付属していないため、腰を掛けて整理をしたい時、或いはキャビネットの使途がシューズボードの場合老人が靴を履く場合、ご婦人がブーツを履く時にベンチが必需品となり、追加でベンチを購入するケースが多い点を解決課題とする。
【課題を解決するための手段】
【０００５】  本考案は問題点解決のため、キャビネットにスライドレールによりベンチを取り付け、必要時に引き出して使用する、或いは独立したベンチにキャスター、車輪を付属し移動可能とし、必要時に引き出し使用する、又は付属した、軽量の椅子、スツールをキャビネットに収納し、必要時に取り出し、使用可能としたベンチ収納方式により問題点の解決手段とするものである。
【考案の効果】
【０００６】  本考案のベンチの付属したキャビネットにより、整理をするときや、シューズボードの場合は腰を掛けて靴、ブーツ等を履くのに別途ベンチを購入する必要もなく、更に収納可能のため、省スペースにもなり非常に優れた効果がある。
【図面の簡単な説明】
【０００７】
【図１】  ボックス型ベンチをレールで取り付けたキャビネット収納時例斜視図
【図２】  ボックス型ベンチをレールで取り付けたキャビネット使用時例斜視図
【図３】  スライドレール式ベンチ付き開き戸キャビネット収納例斜視図
【図４】  スライドレール式ベンチ付き開き戸キャビネット使用例斜視図
【図５】  キャスター式前開き戸ベンチ付きキャビネット使用例斜視図
【図６】  キャスター式上開き戸ベンチ付きキャビネット使用例斜視図
【図７】  軽量収納椅子をラック式キャビネットの外での使用例斜視図
【図８】  収納スツールの扉付きキャビネットの外での使用例斜視図
【考案を実施するための形態】
【０００８】  上記考案を実施するため、ベンチをキャビネットの下部の内部にスライドレールを介して取り付ける、或いはキャスター、又は車輪を取り付けた独立した扉の付いた、或いは棚の付いた、又は棚と扉の両方の付いたベンチをキャビネットの内部に収納する、或いはキャスターも車輪も付かない軽量な椅子、或いはスツールをキャビネットの内側に収納し、必要時に取り出しベンチとして使用、使用時以外は収納可能、或いは他の場所に設置可能なベンチを有することを特徴とするキャビネットを実施するための形態を図１〜図８を参照して説明する。
【実施例】
【０００９】  以下、添付図に従って実施例を説明する。図１は請求項１に該当するキャビネット１にスライドレール４で取り付けた棚５を備えたベンチ２を収納した引き戸６タイプのキャビネットの説明図である。キャスターは付属する場合と付属しない場合があり限定するものではない、以下キャビネット形状、ベンチ形状、高さ、及び幅等は図示に限定するものではない。【００１０】  図２は同じく請求項１に該当するキャビネット１にスライドレール４で取り付けた棚５を備えたベンチ２を引き出した、使用時の引き戸６タイプキャビネットの説明図である、尚以下、キャスター３は付属する場合もあり限定するものではなく、ベンチの棚板枚数、位置、形状も図示に限定するものではない。【００１１】  図３は同じく請求項１に該当する全面複数扉で収納庫としたキャビネット１にボックス型フラップ扉のベンチ１１を収納した状態の参考例図である。【００１２】  図４は同じく請求項１に該当する、前全面複数扉で収納庫としたキャビネット１にボックス型フラップドアを備えたベンチ１１をスライドレール４で取り付け引き出し、使用する時の参考例全体図である。尚、扉９の開き方向、方法等、及びベンチ形状も図示に限定するものではない。【００１３】  図５は請求項２に該当するキャビネット１にキャスター３、或いは車輪を取り付け前開き扉を備えたベンチ７をキャビネット１より引き出し横置きした場合の全体例説明図である。キャビネットの用途、及びベンチの形状、扉の形状、有無等は図示に限定するものではない。【００１４】  図６は同じく請求項２に該当するキャビネット１にキャスター３、或いは車輪を取り付けた上扉型収納ベンチ１０をキャビネット１より引き出した状態、及び上扉型ベンチの形態を説明した全体図である。ベンチ７取り出した後のスペースには長靴、ブーツ８等の背の高いものも収納可能な例を説明する図である。尚、キャビネットの使用目的はシューズボード、食器棚、書庫、収納庫等多様であり限定するものではない。【００１５】  図７は請求項３に該当するラックタイプのオープンキャビネット１２に軽量椅子１３をセットにし、収納可能とした状態を説明する図である、図示の如くラック１２に軽量椅子１３が付けば、整理する場合、読書をする場合、非常に楽であり、重宝することを説明した参考使用例の図である。尚、付属軽量椅子の収納場所はキャビネット最下段内側には限定せず、中間に収納する場合もあり、軽量椅子は単体のみならず、複数の場合やスタッキングチェアーのような軽量椅子を複数収納する場合も本請求項に含まれる。尚、軽量椅子の形状、サイズ等は多種多様であり図示に限定するものではない。【００１６】  図８は請求項３に該当するキャビネット１にスツール１４を付属させ、スツールを組み込み、使用する例を説明する参考使用例の説明図である。尚、付属のスツール収納場所はキャビネット最下段内側には限定せず、中間に収納する場合もあり、スツールは単体のみならず、複数収納する場合も本請求項に含まれる。
【産業上の利用可能性】  従来はキャビネットとベンチを別々に買い求め、常設するため場所の占拠に悩むことが多かったが、キャビネットに収納可能としたベンチにより問題点を解決できるため、据え付け家具や量産家具に応用ができ、産業上の利用可能性は大きいと思われる。
【符号の説明】
【００１７】  １  キャビネット
２  オープン棚付きベンチ
３  キャスター、車輪
４  スライドレール
５  棚板
６  引き違い戸
７  前扉収納ベンチ
８  長靴、ブーツ
９  キャビネット扉
１０  上扉収納ベンチ
１１  フラップ扉付きベンチ
１２  ラックタイプキャビネット
１３  軽量椅子
１４  スツール
【図１】
0003213408.tif 000003
【図２】
0003213408.tif 000004
【図３】
0003213408.tif 000005
【図４】
0003213408.tif 000006
【図５】
0003213408.tif 000007
【図６】
0003213408.tif 000008
【図７】
0003213408.tif 000009
【図８】
0003213408.tif 000010